(57)【要約】【課題】一般的なヘッドホンを使用して、周囲の騒音をキャンセルしながら、オーディオ再生機器等で再生したオーディオ音声を聞くことができるノイズキャンセル装置を提供する。【解決手段】ノイズキャンセル装置１の出力端子２１に、マイクの無い一般的なヘッドホン５の入力端子５７を接続し、入力端子１９に音声信号再生機器７を接続して、ヘッドホンスピーカ５１Ｌ・５１Ｒから一定距離にマイク４３Ｌ・４３Ｒをクリップ４１Ｌ・４１Ｒで保持させて、音声信号再生機器７で音声信号を再生させると、ノイズキャンセル部８０Ｌ・８０Ｒで、マイク４３Ｌ・４３Ｒが出力した外来音信号から特定の周波数帯域のノイズ音信号を抽出して、外来音に含まれるノイズ音を打ち消す逆位相音信号を生成し、この逆位相音信号を一定時間遅延させて、入力端子１９から入力された音声信号と加算して出力端子に出力する。ノイズ音は逆位相音に打ち消され、再生音のみを聞ける。【選択図】図１
2009017083.tif 000002
【特許請求の範囲】
【請求項１】
ヘッドホンの入力端子接続用の出力端子と、
音声信号再生機器が出力した音声信号入力用の入力端子と、
周囲の音を集音して外来音信号を出力するマイクロホンと、
前記マイクロホンが取り付けられ、前記マイクロホンを前記ヘッドホンのヘッドホンスピーカから一定距離に保持可能な保持具と、
前記マイクロホンが出力した外来音信号から特定の周波数帯域のノイズ音信号を抽出して、前記外来音に含まれるノイズ音を打ち消す逆位相音信号を生成し、この逆位相音信号を一定時間遅延させて、前記入力端子から入力された音声信号と加算して、前記出力端子に出力するノイズキャンセル部と、
を備えたノイズキャンセル装置。
【請求項２】
前記出力端子、前記入力端子、及び前記ノイズキャンセル部が設けられた本体ケースと、
前記本体ケースから延出し、その端部にそれぞれ連結具が取り付けられた１組の首ひもと、
前記連結具の近傍から延出し、その端部に前記マイクロホン及び前記保持具が取り付けられたマイクケーブルと、
を備えた請求項１に記載のノイズキャンセル装置。
【請求項３】
前記ノイズキャンセル部は、前記外来音信号から抽出するノイズ音信号の特定の周波数帯域を変更する周波数帯域変更スイッチを備えた請求項１または２に記載のノイズキャンセル装置。
【請求項４】
前記ノイズキャンセル部は、前記外来音信号から抽出するノイズ音信号の特定の周波数帯域の幅を変更する周波数帯域幅変更スイッチを備えた請求項１乃至３のいずれかに記載のノイズキャンセル装置。
【請求項５】
前記ノイズキャンセル部は、前記外来音信号に含まれるノイズ音信号の周波数帯域を解析して、解析結果に基づいて前記特定の周波数帯域を設定するノイズ解析部と、
前記ノイズ解析部を起動させる起動スイッチと、
を備えた請求項１乃至４のいずれかに記載のノイズキャンセル装置。
【発明の詳細な説明】
【技術分野】
【０００１】
この発明は、オーディオ再生機器で再生したオーディオ音声を、周囲から聞こえる外来ノイズ音をキャンセルしながら、好みのヘッドホンを使用して聞くことができるノイズキャンセル装置に関する。
【背景技術】
【０００２】
従来、携帯型オーディオ再生機器のユーザは、携帯型オーディオ再生機器に接続したヘッドホンを耳に装着することで、周囲の人に迷惑をかけずに音楽等を聞くことができる。しかし、電車やバスの車内ではモータやエンジンの持続的な低い周波数の騒音が聞こえるために、ユーザは再生音量を大きくしないと音楽を聞き取れないことが多い。だが、ユーザが再生音量を大きくすると、ヘッドホンから音が漏れるため、周囲の人に迷惑をかけてしまうことがあった。
【０００３】
そこで、このような問題を解決する装置として、ノイズキャンセリングヘッドホンが提案されている（例えば、特許文献１参照。）。
【０００４】
ノイズキャンセリングヘッドホンは、通常、ヘッドホンスピーカの近傍にマイクロホンが一体的に設けられており、このマイクロホンで騒音（ノイズ音）を集音して、ノイズキャンセル回路で、ノイズ音をキャンセルするための逆位相のノイズキャンセル音の信号を生成する。そして、携帯型オーディオ再生機器で再生したオーディオ音声信号とノイズキャンセル音を加算して、ヘッドホンスピーカから加算音を再生する。このとき、ユーザは、オーディオ音声と、ノイズ音と、ノイズキャンセル音を聞くことになるが、ノイズキャンセル音は、ノイズ音と逆位相の音声なので、ノイズ音はノイズキャンセル音により打ち消される。したがって、ユーザは、周囲の騒音が軽減されるので、再生音量を大きくすることなく、オーディオ音声を聞くことができる。
【特許文献１】特開２０００−５９８７６号公報
【発明の開示】
【発明が解決しようとする課題】
【０００５】
しかしながら、従来のノイズキャンセリングヘッドホンは、ヘッドホンスピーカとマイクロホンが一体化されており、さらに、ヘッドホンとノイズキャンセル回路が一体的に構成されているか、またはケーブルを介してヘッドホンとノイズキャンセル回路が接続されていた。そのため、ユーザは、ヘッドホンにマイクロホンが取り付けられていない一般的なヘッドホンを使用することができず、ノイズをキャンセルしながら音楽を楽しむためには、ノイズキャンセリングヘッドホンを購入しなければならなかった。
【０００６】
そこで、本発明は、一般的なヘッドホンを使用して、周囲の騒音をキャンセルしながら、オーディオ再生機器等で再生したオーディオ音声を聞くことができるノイズキャンセル装置を提供することを目的とする。
【課題を解決するための手段】
【０００７】
この発明は、上記の課題を解決するための手段として、以下の構成を備えている。
【０００８】
（１）ヘッドホンの入力端子接続用の出力端子と、
音声信号再生機器が出力した音声信号入力用の入力端子と、
周囲の音を集音して外来音信号を出力するマイクロホンと、
前記マイクロホンが取り付けられ、前記マイクロホンを前記ヘッドホンのヘッドホンスピーカから一定距離に保持可能な保持具と、
前記マイクロホンが出力した外来音信号から特定の周波数帯域のノイズ音信号を抽出して、前記外来音に含まれるノイズ音を打ち消す逆位相音信号を生成し、この逆位相音信号を一定時間遅延させて、前記入力端子から入力された音声信号と加算して、前記出力端子に出力するノイズキャンセル部と、
を備えたことを特徴とする。
【０００９】
この構成においては、ノイズキャンセル装置の出力端子に、マイクロホンを備えていない一般的なヘッドホンの入力端子を接続し、入力端子に音声信号再生機器を接続して、ヘッドホンスピーカから一定距離にマイクロホンを保持具で保持させて、音声信号再生機器で音声信号を再生させると、ノイズキャンセル部で、マイクロホンが出力した外来音信号から特定の周波数帯域のノイズ音信号を抽出して、外来音に含まれるノイズ音を打ち消す逆位相音信号を生成し、この逆位相音信号を一定時間遅延させて、入力端子から入力された音声信号と加算して出力端子に出力する。そのため、ヘッドホンスピーカからは、音声信号再生機器の再生音声と逆位相音とが放音されるが、逆位相音は、ノイズ音と逆位相の音声なので、ノイズ音は逆位相音により打ち消される。したがって、ユーザは、一般的なヘッドホンを使用しても、ノイズキャンセル装置により周囲の騒音が軽減されるので、再生音量を大きくすることなく、音声信号再生機器の再生音声を聞くことができる。
【００１０】
なお、本発明で言うヘッドホンとは、密閉型、オープンエア型（開放型）に限らず、インナーイヤー型、カナル型、ネックバンド型、耳掛け型、クリップ型など様々な形状のものを含む。またイヤホンも含む。
【００１１】
（２）前記出力端子、前記入力端子、及び前記ノイズキャンセル部が設けられた本体ケースと、
前記本体ケースから延出し、その端部にそれぞれ連結具が取り付けられた１組の首ひもと、
前記連結具の近傍から延出し、その端部に前記マイクロホン及び前記保持具が取り付けられたマイクケーブルと、
を備えたことを特徴とする。
【００１２】
この構成においては、本体ケースと首ひもが一体的に構成されており、連結具により首ひもをリング（ループ）状にすることができるので、首への付け外しが容易である。また、連結具の近傍からマイクケーブルが延出しているので、マイクを保持具で保持させる際に、ケーブルの取り回しが容易である。
【００１３】
（３）前記ノイズキャンセル部は、前記外来音信号から抽出するノイズ音信号の特定の周波数帯域を変更する周波数帯域変更スイッチと、この特定の周波数帯域幅を変更する周波数帯域幅変更スイッチと、を備えたことを特徴とする。
【００１４】
この構成においては、ノイズキャンセル部は、周波数帯域変更スイッチを備えているので、ノイズ音の周波数帯域を自由に変更できる。これにより、ユーザは、耳障りと感じるノイズ音を打ち消すように調整することが可能となる。
【００１５】
（４）前記ノイズキャンセル部は、前記外来音信号から抽出するノイズ音信号の特定の周波数帯域の幅を変更する周波数帯域幅変更スイッチを備えたことを特徴とする。
【００１６】
この構成においては、ノイズキャンセル部は、さらに、周波数帯域幅変更スイッチを備えているので、ノイズ音の周波数帯域だけでなく、周波数帯域幅を自由に変更できる。これにより、ユーザは、両スイッチを操作することで、耳障りと感じるノイズ音を確実に打ち消すことができる。
【００１７】
（５）前記ノイズキャンセル部は、前記外来音信号に含まれるノイズ音信号の周波数帯域を解析して、解析結果に基づいて前記特定の周波数帯域を設定するノイズ解析部と、
前記ノイズ解析部を起動させる起動スイッチと、
を備えたことを特徴とする。
【００１８】
この構成においては、起動スイッチを操作することで、外来音に含まれるノイズ音の周波数帯域及び周波数帯域幅をノイズ解析部に解析させることができる。したがって、ノイズキャンセル装置でキャンセルするノイズ音の周波数帯域を自動的に設定することが可能となる。
【発明の効果】
【００１９】
本発明によれば、ユーザは、一般的なヘッドホンを使用しても、周囲の騒音をキャンセルしながら、オーディオ再生機器等で再生したオーディオ音声を聞くことができる。したがって、ユーザは、自分の耳にフィットする好みのヘッドホンを選択して、ノイズ音を気にすることなくオーディオ音声を楽しむことができる。
【発明を実施するための最良の形態】
【００２０】
以下、本発明の実施形態に係るノイズキャンセル装置について説明する。図１は、ノイズキャンセル装置にオーディオ再生機器及びヘッドホンを接続するときの状態を示す外観図である。
【００２１】
ここで、本発明で言うヘッドホンとは、密閉型、オープンエア型（開放型）に限らず、インナーイヤー型、カナル型、ネックバンド型、耳掛け型、クリップ型など様々な形状のものを含む。またイヤホンも含む。
【００２２】
ノイズキャンセル装置１は、本体部２、ネックループ（首ひも）部３、及びマイク部４から成る。
【００２３】
本体部２は、直方体形状の筐体（本体ケース）１０の外側に、電源スイッチ１１、ＬＥＤランプ１３、周波数帯域変更スイッチ１５、周波数帯域幅変更スイッチ１６、ボリューム（音量）スイッチ１７、音声信号入力端子１９（以下、単に入力端子１９と称する。）、及び音声信号出力端子２１（以下、単に出力端子２１と称する。）を備えている。また、筐体１０の内部に、ノイズキャンセル装置１の電源である乾電池２３と、不図示の回路部１Ａを備えている。
【００２４】
ネックループ部３は、ストラップ３１Ｌ・３１Ｒ、連結具３３Ｌ・３３Ｒ、及び圧入部材３５Ｌ・３５Ｒを備えている。
【００２５】
マイク部４は、クリップ（保持具）４１Ｌ・４１Ｒ、マイク４３Ｌ・４３Ｒ、マイクケーブル４５Ｌ・４５Ｒを備えている。
【００２６】
電源スイッチ１１は、ノイズキャンセリング動作の実施・不実施を切り換えるためのものである。ノイズキャンセル装置１は、電源スイッチ１１がオンされるとノイズキャンセリング動作を行いながらオーディオ音声信号を出力端子２１から出力し、電源スイッチ１１がオフされるとノイズキャンセリング動作を行わずに、そのままオーディオ音声信号を出力端子２１から出力する。
【００２７】
ＬＥＤランプ１３は、電源スイッチ１１がオンのときに点灯し、電源スイッチ１１がオフのときに消灯する。
【００２８】
周波数帯域変更スイッチ１５は、キャンセルしたい騒音（ノイズ音）の周波数帯を切り換えるためのものである。詳細は後述する。
【００２９】
周波数帯域幅変更スイッチ１６は、キャンセルしたい騒音（ノイズ音）の周波数帯の幅を切り換えるためのものである。詳細は後述する。
【００３０】
ボリュームスイッチ１７は、出力端子２１に出力するオーディオ音声信号の音量を調整するためのものである。
【００３１】
なお、電源スイッチ１１がオフのときには、周波数帯域変更スイッチ１５、周波数帯域幅変更スイッチ１６及びボリュームスイッチ１７は機能しない。
【００３２】
音声信号入力端子（ジャック）１９は、ノイズキャンセル装置１に対して、外部から音声信号を入力するためのものである。図１には一例として、オーディオ再生機器（音声信号再生機器）であるＭＰ３プレーヤ７を、ケーブル６を介して接続する場合を示している。音声信号入力端子１９にケーブル６の端子（プラグ）６３を接続し、ＭＰ３プレーヤ７の出力端子（ジャック）７１にケープル６の端子（プラグ）６５を接続して、ＭＰ３プレーヤ７の再生ボタン７３を操作すると、オーディオ音声信号が音声信号入力端子１９から入力される。
【００３３】
音声信号出力端子（ジャック）２１は、外部にオーディオ音声信号を出力するためのものである。図１には、一例として、ステレオヘッドホン５の入力端子（プラグ）５７を接続する場合を示している。
【００３４】
ストラップ３１Ｌ及びストラップ３１Ｒは、本体部２を首から吊すためのものである。ストラップ３１Ｌは、圧入部材３５Ｌによって筐体１０に接続されており、先端に連結具３３Ｌが取り付けられている。また、ストラップ３１Ｌは、その内部にマイク４３Ｌに接続されているマイクケーブル４５Ｌが通されている。同様に、ストラップ３１Ｒは、圧入部材３５Ｒによって筐体１０に接続されており、先端に連結具３３Ｒが取り付けられている。また、ストラップ３１Ｒは、その内部にマイク４３Ｒに接続されているマイクケーブル４５Ｒが通されている。
【００３５】
ユーザは、連結具３３Ｌと連結具３３Ｒを連結することで、ストラップ３１Ｌ及びストラップ３１Ｒをリング（ループ）状にすることができる。また、ユーザは、連結具３３Ｌと連結具３３Ｒの連結を解除して、ストラップ３１Ｌ及びストラップ３１Ｒを首に回し、連結具３３Ｌと連結具３３Ｒを首の後ろで連結することで、ネックループ部３により本体部２を首から吊すことができる。
【００３６】
圧入部材３５Ｌ・３５Ｒは、ストラップ３１Ｌ及びストラップ３１Ｒを筐体１０に固定するためのものである。
【００３７】
クリップ４１Ｌは、ストラップ３１Ｌまたはヘッドホン５のヘッドホンケーブル５３Ｌに、マイク４３Ｌを挟んで取り付ける（保持する）ためのものであり、その側面にマイク４３Ｌが取り付けられている。
【００３８】
クリップ４１Ｒは、ストラップ３１Ｒまたはヘッドホンケーブル５３Ｒに、マイク４３Ｒを挟んで取り付ける（保持する）ためのものであり、その側面にマイク４３Ｒが取り付けられている。
【００３９】
ここで、図１には、クリップ４１Ｌ・４１Ｒをストラップ３１Ｌ・３１Ｒに取り付けた場合を実線で示し、クリップ４１Ｌ・４１Ｒをヘッドホンケーブル５３Ｌ・５３Ｒに取り付けた場合を点線で示している。後述する図６においても同様である。
【００４０】
マイク４３Ｌは、無指向性または広い指向性のマイクロホンであり、ヘッドホン５のヘッドホンスピーカ５１Ｌに対する周囲の音（外来音）、つまり周囲の音に含まれる騒音（ノイズ音）を集音する。
【００４１】
マイク４３Ｒは、無指向性または広い指向性のマイクロホンであり、ヘッドホン５のヘッドホンスピーカ５１Ｒに対する周囲の音（外来音）、つまり周囲の音に含まれる騒音（ノイズ音）を集音する。
【００４２】
マイクケーブル４５Ｌは、マイク４３Ｌと、筐体１０に収納された不図示の回路部を接続する。マイクケーブル４５Ｒは、マイク４３Ｒと、筐体１０に収納された不図示の回路部を接続する。
【００４３】
図２は、クリップ４１Ｒ及びマイク４３Ｒの３面図である。ここで、クリップ４１Ｌ及びマイク４３Ｌは、クリップ４１Ｒ及びマイク４３Ｒと対称形である。マイク４３Ｒは、クリップ４１Ｒのバネ４１Ｒ３と平行に（図２におけるＺ軸方向に）取り付けられており、また、マイクヘッド４３Ｒ１が、斜め上方（図２におけるＹ軸とＺ軸の間）を向くように、クリップ板４１Ｒ１に対して傾斜して取り付けられている。このような構成により、後述するように、取り付け位置に関わらず、ユーザの前方からヘッドホンスピーカの方向の音声を確実に集音できる。
【００４４】
図３は、ノイズキャンセル装置の使用状態を示す図である。ノイズキャンセル装置１を使用する際には、マイク４３Ｌとヘッドホンスピーカ５１Ｌの距離及びマイク４３Ｒとヘッドホンスピーカ５１Ｒの距離が、それぞれ１５ｃｍ〜２０ｃｍとなるように取り付けると良い。すなわち、マイク４３Ｌ・４３Ｒをネックループ部３に取り付ける場合には、図３（Ａ）に示すように、マイク４３Ｌ・４３ＲがユーザＵの前方の音声を集音する向きに、ストラップ３１Ｌ・３１Ｒの、ユーザＵの肩の最も高い部分（頂点）から耳の真下の部分までの間を、クリップ４１Ｌ・４１Ｒで挟んで取り付ける。
【００４５】
また、マイク４３Ｌ・４３Ｒをヘッドホンケーブル５３Ｌ・５３Ｒに取り付ける場合には、図３（Ｂ）に示すように、マイク４３Ｌ・４３ＲがユーザＵの前方の音声を集音する向きに、クリップ４１Ｌでヘッドホンケーブル５３Ｌを、クリップ４１Ｒでヘッドホンケーブル５３Ｒを、それぞれ挟んで、ユーザＵの首元ぐらいの高さに取り付ける。
【００４６】
ノイズキャンセル装置１では、上記のように、マイク４３Ｌとヘッドホンスピーカ５１Ｌの距離及びマイク４３Ｒとヘッドホンスピーカ５１Ｒの距離が、それぞれ１５ｃｍ〜２０ｃｍとなるように取り付けるので、マイク４３Ｌ・４３Ｒで外来音に含まれるノイズ音を集音するタイミングと、ユーザＵが両耳でノイズ音を聞くタイミングが異なる。例えば、図３に示す点音源Ｓから発したノイズ音は、ユーザの両耳よりも先に、マイク４３Ｌ・４３Ｒに到達する。そのため、ノイズキャンセル装置１では、マイク４３Ｌ・４３Ｒで集音したノイズ音から生成した逆位相の音声を、ノイズ音がユーザＵの両耳に到達するタイミングで、ヘッドホンスピーカ５１Ｌ・５１Ｒから放音するように、逆位相の音声を一定時間遅延させて出力する。また、ノイズキャンセル装置１では、ユーザの所望のノイズをキャンセルできるように、キャンセルするノイズ音の周波数帯域及び周波数帯域の幅を変更することができる。
【００４７】
具体的には、ノイズキャンセル装置１は図４に示すように回路構成を備えている。図４は、ノイズキャンセル装置の概略の回路構成を示すブロック図である。
【００４８】
ノイズキャンセル装置１の回路部（ノイズキャンセル部）１Ａは、マイク４３Ｌ・４３Ｒ、バンドパスフィルタ８１Ｌ・８１Ｒ、アンプ８３Ｌ・８３Ｒ、インバータ８５Ｌ・８５Ｒ、遅延回路８６Ｌ・８６Ｒ、加算器８７Ｌ・８７Ｒ、補正回路８８Ｌ・８８Ｒ、可変アンプ８９Ｌ・８９Ｒ、出力端子２１（２１Ｌ・２１Ｒ）、入力端子１９（１９Ｌ・１９Ｒ）、周波数帯域変更スイッチ１５、周波数帯域幅変更スイッチ１６、及びボリュームスイッチ１７を備えている。
【００４９】
ここで、ノイズキャンセル装置１では、左チャンネル用の回路と、右チャンネル用の回路が同様の動作を行うので、以下の説明では左チャンネル用の回路の説明を行い、右チャンネル用の各回路の符号をかっこ書きする。
【００５０】
マイク４３Ｌ（４３Ｒ）が集音した外来音は、外来音信号に変換されてバンドパスフィルタ８１Ｌ（８１Ｒ）に送られる。バンドパスフィルタ８１Ｌ（８１Ｒ）は、周波数帯域変更スイッチ１５及び周波数帯域幅変更スイッチ１６により設定された周波数帯域の音声信号のみを通過させるフィルタであり、ユーザが除去（キャンセル）したいノイズ音信号のみを通過させて、アンプ８３Ｌ（８３Ｒ）に出力する。アンプ８３Ｌ（８３Ｒ）で増幅されたノイズ音信号はインバータ８５Ｌ（８５Ｒ）で反転されて、逆位相のノイズ音信号（逆位相音信号）となり、遅延回路８６Ｌ（８６Ｒ）に出力される。遅延回路８６Ｌ（８６Ｒ）は、入力された逆位相音信号を一定時間遅延させてから出力するように予め設定されており、逆位相音信号を一定時間遅延させてから加算器８７Ｌ（８７Ｒ）に出力する。
【００５１】
オーディオ再生機器７から出力されたオーディオ音声信号は、補正回路８８Ｌ（８８Ｒ）で各周波数帯レベルに強弱を付けて、騒音下でも聞きやすい特性に補正される。例えば、オーディオ音声信号に含まれるボーカルが聞き取りやすいように、中域を強調させるようにする。
【００５２】
加算器８７Ｌ（８７Ｒ）は、遅延回路８６Ｌ（８６Ｒ）が出力した逆位相音信号と、補正回路８８Ｌ（８８Ｒ）が出力した補正後のオーディオ音声信号を加算して、この加算音信号を可変アンプ８９Ｌ（８９Ｒ）に出力する。可変アンプ８９Ｌ（８９Ｒ）は、ボリュームスイッチ１７により設定された増幅率で加算音信号を増幅して、出力端子２１Ｌ（２１Ｒ）に出力する。したがって、出力端子２１Ｌ（２１Ｒ）に接続されたヘッドホン５のヘッドホンスピーカ５１Ｌ（５１Ｒ）からは、オーディオ音声と逆位相のノイズ音が放音される。
【００５３】
ユーザは、オーディオ音声と、ノイズ音と、逆位相のノイズ音を聞くことになるが、逆位相のノイズ音は、ノイズ音と逆位相の音声なので、ノイズ音は逆位相のノイズ音により打ち消される。したがって、ユーザは、周囲の騒音が軽減されるので、再生音量を大きくすることなく、オーディオ音声を聞くことができる。
【００５４】
なお、遅延回路８６Ｌ・８６Ｒに設定する遅延時間は、実験等により設定すると良い。また、ノイズ音源の方向に応じて、遅延時間を変更できるように、遅延時間の切り替えスイッチを設けるようにしても良い。例えば、ノイズ音源が電車のモータやバスのエンジンのように、下方（足下）にある場合には、マイク４３Ｌ・４３Ｒで集音・変換したノイズ音信号を一定時間遅延させて逆位相のノイズ音信号を出力するように設定すると良い。また、ノイズ音源が、パソコンのファンやエアコンの室外機等のように、ユーザの前方にある場合には、マイク４３Ｌ・４３Ｒで集音・変換したノイズ音信号をほとんど遅延させずに逆位相のノイズ音信号を出力するように設定すると良い。
【００５５】
次に、周波数帯域変更スイッチ及び周波数帯域幅変更スイッチについて説明する。図５は、周波数帯域と周波数帯域幅の設定方法を説明するための図である。ユーザは、周波数帯域変更スイッチ１５を操作することで、図５（Ａ）に示すように、ノイズキャンセルを実行する周波数帯域幅の中心周波数を移動することができる。周波数帯域変更スイッチ１５は、例えば、４０Ｈｚから２ｋＨｚまでの間で周波数帯域を変更できるように設定されている。
【００５６】
また、ユーザは、周波数帯域変更スイッチ１５を操作して、キャンセルするノイズ音の中心周波数を設定後に、周波数帯域幅変更スイッチ１６を操作することで、図５（Ｂ）に示すように，ノイズキャンセル処理を実行する周波数帯域の幅を変更することができる。周波数帯域幅変更スイッチ１６は、例えば、１００Ｈｚ〜約２ｋＨｚの間で周波数帯域幅を変更できるように設定されている。
【００５７】
このように、ノイズキャンセル装置１は、周波数帯域変更スイッチ１５及び周波数帯域幅変更スイッチ１６を備えているので、ユーザはこれらのスイッチを操作することで、キャンセルするノイズ音の周波数帯域及び周波数帯域の幅を変更できるので、気になるノイズ音を確実にキャンセルすることができる。
【００５８】
さらに、ノイズキャンセル装置１に、オートスキャンスイッチ１４及びノイズ解析部８２Ｌを備えた構成にしても良い。図４に示したノイズ解析部８２Ｌは、オートスキャンスイッチ（起動スイッチ）１４の操作により動作を開始し、マイク４３Ｌで集音・変換したノイズ音信号を解析して、ノイズ音の中心周波数及び周波数帯域幅を自動的にバンドパスフィルタ８１Ｌ・８１Ｒに対して設定する。このように、ノイズキャンセル装置１は、現在のノイズ音の状態に応じて自動的にノイズキャンセル処理する周波数帯域を設定することもできる。なお、ノイズ解析部は、マイク４３Ｒが集音した外来音信号を解析してバンドパスフィルタ８１Ｌ・８１Ｒにノイズキャンセル処理する周波数帯域を設定する構成でも良い。また、左チャンネルと右チャンネルとにそれぞれノイズ解析部を設けて、バンドパスフィルタ８１Ｌ・８１Ｒにノイズキャンセル処理する周波数帯域を別々に設定する構成でも良い。
【００５９】
なお、周波数帯変更スイッチ１５、周波数帯域幅変更スイッチ１６、及びオートスキャンスイッチ１４により設定できる周波数帯域及び周波数帯域幅は、上記の例に限るものではなく、さらに広い範囲に設定することが可能である。
【００６０】
図６は、図１とは異なる構成のノイズキャンセル装置の概観を示す図である。ノイズキャンセル装置１は、本体部２とネックループ部３が一体化されているものに限るものではなく、図６に示すようにリングフック３０等により、本体部２とネックループ部３を接続及び取り外しができる構成でも良い。この構成では、ネックループ部３を取り外せるので、本体部２をシャツの胸ポケットや上着の内ポケットに収納することができる。また、ネックループ部３として、好みのデザインのネックストラップを使用できる。
【００６１】
なお、この構成では、マイクケーブル４５Ｌ・４５Ｒが連結具３３Ｌ・３３Ｒの近傍からではなく、圧入部材３５Ｌ・３５Ｒから延出しているので、マイク４３Ｌ・４３Ｒをネックループ３１Ｌ・３１Ｒに取り付ける際のマイクケーブル４５Ｌ・４５Ｒの取り回しに気を付ける必要がある。
【００６２】
以上のように、本発明によれば、一般的なヘッドホンを使用しても、周囲の騒音をキャンセルしながら、オーディオ再生機器等で再生したオーディオ音声を聞くことができる。
【００６３】
なお、以上の説明では、ステレオヘッドホンを使用した場合について説明したが、これに限るものではなく、モノラルヘッドホンを使用することも当然可能である。
【図面の簡単な説明】
【００６４】
【図１】ノイズキャンセル装置にオーディオ再生機器及びヘッドホンを接続するときの状態を示す外観図である。
【図２】クリップ４１Ｒ及びマイク４３Ｒの３面図である。
【図３】ノイズキャンセル装置の使用状態を示す図である。
【図４】ノイズキャンセル装置の概略の回路構成を示すブロック図である。
【図５】周波数帯域と周波数帯域幅の設定方法を説明するための図である。
【図６】図１とは異なる構成のノイズキャンセル装置の概観を示す図である。
【符号の説明】
【００６５】
１−ノイズキャンセル装置    １Ａ−回路部    ２−本体部    ３−ネックループ部    ４−マイク部    ５−ステレオヘッドホン    ６−ケーブル    ７−オーディ再生機器（ＭＰ３プレーヤ）    １０−筐体    １１−電源スイッチ    １３−ＬＥＤランプ    １４−オートスキャンスイッチ    １５−周波数帯域変更スイッチ    １６−周波数帯域幅変更スイッチ    １７−ボリュームスイッチ    １９Ｌ・１９Ｒ−音声信号入力端子    ２１Ｌ・２１Ｒ−音声信号出力端子    ３１Ｌ・３１Ｒ−ストラップ    ３３Ｌ・３３Ｒ−連結具    ３５Ｌ・３５Ｒ−圧入部材    ４１Ｌ・４１Ｒ−クリップ    ４３Ｌ・４３Ｒ−マイク    ４５Ｌ・４５Ｒ−マイクケーブル    ５１Ｌ・５１Ｒ−ヘッドホンスピーカ    ５３Ｌ・５３Ｒ−ヘッドホンケーブル    ５７−入力端子    ７３−再生ボタン    ８１Ｌ・８１Ｒ−バンドパスフィルタ    ８２Ｌ−ノイズ解析部    ８３Ｌ・８３Ｒ−アンプ    ８５Ｌ・８５Ｒ−インバータ    ８６Ｌ・８６Ｒ−遅延回路    ８７Ｌ・８７Ｒ−加算器    ８９Ｌ・８９Ｒ−可変アンプ
【図１】
2009017083.tif 000003
【図２】
2009017083.tif 000004
【図３】
2009017083.tif 000005
【図４】
2009017083.tif 000006
【図５】
2009017083.tif 000007
【図６】
2009017083.tif 000008